【手続補正書】
【提出日】令和1年12月23日(2019.12.23)
【手続補正１】
【補正対象書類名】特許請求の範囲
【補正対象項目名】全文
【補正方法】変更
【補正の内容】
【特許請求の範囲】
【請求項１】
可視光波長域のうちの一部の波長域に対する感度が可視光波長域のうちの他の波長域と比較して低下しているユーザのための頭部装着型映像提示装置であって、
ユーザの視界方向を撮像して第１の映像情報を取得する撮像部と、
前記第１の映像情報における少なくとも前記一部の波長域のための波長を表現するための信号の少なくとも一部を、前記他の波長域内の波長を表現する信号に波長変換し、当該波長変換された波長信号に基づく第２の映像情報を出力する波長変換部と、
前記第２の映像情報に基づいて、波長変換されたユーザの視界方向の映像をユーザに提示する映像提示部と、
を備える、頭部装着型映像提示装置。
【請求項２】
可視光波長域のうちの他の波長域と比較して感度が低下している可視光波長域のうちの一部の波長域が右眼と左眼とで異なり、
前記波長変換部は、左眼の感度及び右眼の感度に基づいて各々に前記波長変換を実行し、前記第２の映像情報は右眼用映像情報及び左眼用映像情報を含み、右眼用映像情報は右眼の感度に基づいて波長変換された波長信号に基づくものであり、左眼用映像情報は左眼の感度に基づいて波長変換された波長信号に基づくものであり、
前記映像提示部は、前記第２の映像情報に含まれる前記右眼用映像情報に基づいてユーザの右眼に対して右眼用映像を提示し、左眼用映像情報に基づいてユーザの左眼に対して波長変換された左眼用映像を提示する、
請求項１に記載の頭部装着型映像提示装置。
【請求項３】
前記波長変換部は、
ＸＹＺ表色系におけるスペクトル色度座標を含む第１のテーブルと、
前記一部の波長域の波長を前記他の波長域に変換するために、前記第１のテーブルにおいて前記一部の波長域の波長に対応づけられた色度座標を前記他の波長域の波長に対応づけ、前記第１のテーブルにおいて前記他の波長域の波長に対応づけられた色度座標の少なくとも一部を前記第１のテーブルにおいて対応づけられた色度座標とは異なる色度座標に対応づけた第２のテーブルと、
を含み、
前記第１の映像情報に基づいて、ＸＹＺ表色系で色を表現するＸＹＺ信号を取得し、    前記第１のテーブルに基づいて、前記ＸＹＺ信号に対応する波長を特定し、
前記第２のテーブルに基づいて、前記特定された波長に対応づけられた変換された波長のためのＸＹＺ信号を取得し、
前記変換されたＸＹＺ信号に基づく第２の映像情報を出力する、
請求項１または２に記載の頭部装着型映像提示装置。
【請求項４】
前記波長変換部は、
前記第１の映像情報に基づいてＲＧＢ表色系で色を表現するＲＧＢ信号を取得し、
前記ＲＧＢ信号に基づいてＸＹＺ信号の刺激和を演算し、
前記ＲＧＢ信号から取得されるＲ信号値を前記刺激和で除算してｒ信号値を取得し、    前記取得されたｒ信号値がｒ信号上限値以上である場合は、前記取得されたｒ信号値をｒ信号上限値に変換し、
前記変換されたｒ信号値に前記刺激和を乗算して変換されたＲ信号値を取得し、
前記変換されたＲ信号値を含むＲＧＢ信号に基づく第２の映像情報を出力し、
前記ｒ信号上限値は、ＸＹＺ表色系によるスペクトル色度座標をＲＧＢ変換して得られる前記他の波長域における最大のｒ信号値以下の値である、
請求項１または２に記載の頭部装着型映像提示装置。
【請求項５】
前記波長変換部は、
前記ＲＧＢ信号から取得されるＧ信号値を前記刺激和で除算してｇ信号値を取得し、    前記取得されたｇ信号値がｇ信号下限値以下である場合は、前記ｇ信号値をｇ信号下限値に変換し、
前記変換されたｇ信号値に前記刺激和を乗算して変換されたＧ信号値を取得し、
前記変換されたＧ信号値を更に含むＲＧＢ信号に基づく第２の映像情報を出力し、
前記ｇ信号下限値は、ＸＹＺ表色系によるスペクトル色度座標をＲＧＢ変換して得られる前記他の波長域における両端の波長のためのｇ信号値のうち大きい方のｇ信号値以上である、
請求項４に記載の頭部装着型映像提示装置。
【請求項６】
前記波長変換部は、
前記第１の映像情報に基づいてＲＧＢ表色系で色を表現するＲＧＢ信号を取得し、
ＸＹＺ表色系によるスペクトル色度座標をＲＧＢ変換して得られるＲＧＢ表色系によるスペクトル色度座標に基づいて決定されたｒ信号変換係数を、前記取得されたＲＧＢ信号に含まれるＲ信号値に乗算して変換されたＲ信号値を取得し、
前記変換されたＲ信号値を含むＲＧＢ信号に基づく第２の映像情報を出力し、
前記ｒ信号変換係数は、前記ＲＧＢ表色系によるスペクトル色度座標におけるｒ信号値に当該ｒ信号変換係数を乗算したときに得られる値の最大値がｒ信号上限値を超えないように決定され、
前記ｒ信号上限値は、前記ＲＧＢ表色系によるスペクトル色度座標における他の波長域における最大ｒ信号値以下の値である、
請求項１または２に記載の頭部装着型映像提示装置。
【請求項７】
前記ｒ信号変換係数を、前記取得されたＲＧＢ信号に含まれるＲ信号値に乗算して変換されたＲ信号値を取得することに代えて、
取得されたＲＧＢ信号に基づいて演算された刺激和で前記取得されたＲＧＢ信号に含まれるＲ信号値を除算して得られたｒ信号値に、前記ｒ信号変換係数を乗算して変換されたｒ信号値を取得し、当該変換されたｒ信号値に前記刺激和を乗算して、変換されたＲ信号値を取得する、
請求項６に記載の頭部装着型映像提示装置。
【請求項８】
前記波長変換部は、
前記取得されたＲＧＢ信号に基づいてＸＹＺ信号の刺激和を演算し、
前記取得されたＲＧＢ信号に含まれるＧ信号値を、前記刺激和で除算してｇ信号値を取得し、
前記ｇ信号値に所定の係数を乗算した後、ｇ信号下限値を加算し、前記刺激和を乗算して変換されたＧ信号値を取得し、
前記変換されたＧ信号値をさらに含むＲＧＢ信号に基づく第２の映像情報を出力し、  前記ｇ信号下限値は、前記ＲＧＢ表色系によるスペクトル色度座標における前記他の波長域における両端の波長のためのｇ信号値のうち大きい方のｇ信号値以上である、
請求項６又は７に記載の頭部装着型映像提示装置。
【請求項９】
前記映像提示部はプロジェクタまたはディスプレイである、請求項１〜８のいずれか１項に記載の頭部装着型映像提示装置。
【請求項１０】
前記撮像部はユーザの左眼に提示するためのユーザの視界方向の左眼用映像及び当該左眼用映像とは異なるユーザの右眼に提示するためのユーザの視界方向の右眼用映像を撮像し、
前記第１の映像情報は前記左眼用映像及び前記右眼用映像のための映像情報を含み、
前記第２の映像情報は前記波長変換部によって波長変換された前記左眼用映像のための左眼用映像情報及び前記右眼用映像のための右眼用映像情報を含み、
前記映像提示部は前記第２の映像情報に含まれる前記波長変換された左眼用映像情報に基づいてユーザの左眼に対して波長変換された左眼用映像を提示し、前記第２の映像情報に含まれる前記波長変換された右眼用映像情報に基づいてユーザの右眼に対して波長変換された右眼用映像を提示する、
請求項１〜９のいずれか１項に記載の頭部装着型映像提示装置。  
【請求項１１】
前記ユーザは、網膜変性患者であって前記他の波長域内の光を神経節細胞が受容可能となるタンパク質が眼球に投与されたユーザである、請求項１〜１０のいずれか１項に記載の頭部装着型映像提示装置。
【請求項１２】
可視光波長域のうちの一部の波長域に対する感度が可視光波長域のうちの他の波長域と比較して低下しているユーザに前記他の波長域内の波長を表現するための信号に基づく映像を提示するための映像信号を出力する波長変換装置であって、
ユーザの視界方向を撮像して取得された第１の映像情報における少なくとも前記一部の波長域の波長を表現するための信号の少なくとも一部を、前記他の波長域内の波長を表現するための信号に波長変換し、
前記波長変換された信号に基づく第２の映像情報を出力する、
波長変換装置。
【請求項１３】
可視光波長域のうちの一部の波長域に対する感度が可視光波長域のうちの他の波長域と比較して低下しているユーザに前記他の波長域内の波長を表現するための信号に基づく映像を提示するための映像信号を出力するための方法であって、コンピュータが、
ユーザの視界方向を撮像して取得された第１の映像情報における少なくとも前記一部の波長域の波長を表現するための信号の少なくとも一部を、前記他の波長域内の波長を表現するための信号に波長変換する工程と、
前記波長変換された信号に基づく第２の映像情報を出力する工程と、
を実行する、方法。
【請求項１４】
請求項１３に記載された方法をコンピュータに実行させるプログラム。